(57)【要約】【課題】液状化粧料の保持量を増大させるために拡大した塗布部を、操作感の低下、及び周囲への汚損を防止しながら、シゴキを円滑に通過させる。【解決手段】軸部１０と共に構成される液状化粧料塗布体９の塗布部１１が、薄板状とすると共に、その外形形状を略長方形状とするものであって、該塗布部１１の一面１１ａには平面の塗布面１２を形成し、他面１１ｂには該一面１１ａ方向へ凹陥する二本の溝部１３を形成しているので、塗布部がシゴキを通過する際には、塗布部は、溝部の内底部を中心にして該塗布部の塗布面を内側に巻き込むようにシゴキに合わせて筒状に変形して抵抗を少なくし、該塗布部の塗布面に付着した液状化粧料を拭い去られることなく円滑に通過することができるものである。【選択図】図４
2014033720.tif 000002
【特許請求の範囲】
【請求項１】
軸部と、塗布部とから構成され、
該塗布部は、薄板状とすると共に、その外形形状を略長方形状又は塗布部の全部又は一部を先端方向から軸部方向へ幅狭となる逆テーパ形状とし、
該塗布部の一面には平面の塗布面を形成し、他面には該一面方向へ凹陥する単数又は複数の薄肉部を形成する
ことを特徴とする液状化粧料塗布体。
【請求項２】
上記塗布部の他面において該一面方向へ凹陥するように形成される単数又は複数の薄肉部を、該他面の全面又は一部に渡って形成される単数又は複数の溝部の内底部とする
ことを特徴とする請求項１記載の液状化粧料塗布体。
【請求項３】
上記塗布部の外周縁の全周又は一部を曲面とする
ことを特徴とする請求項１又は請求項２記載の液状化粧料塗布体。
【請求項４】
上記塗布部の一面の平面の塗布面の全面又は一部に対してフロッキー植毛加工をする
ことを特徴とする請求項１乃至請求項３のうちいずれか１つに記載の液状化粧料塗布体。
【発明の詳細な説明】
【技術分野】
【０００１】
本願発明は、液状口紅やリップグロス等の液状化粧料（以下、「液状化粧料」とする。）の塗布に使用する液状化粧料塗布体に関する。
【背景技術】
【０００２】
従来、液状化粧料の塗布に使用する液状化粧料の塗布体には、少なくとも該液状化粧料の塗布体における塗布部を、例えばエラストマー等の軟質材からなる薄板体からなるものとし、該塗布部の塗布面を平面としてなるものがある（特許文献１参照）。
ところが、上記塗布体によってさらに広範囲の被塗布面に対して液状化粧料を塗布しようとすると、該塗布体を塗布容器本体に対して反復して挿脱しなければならず、使用者にとって非常に煩しいものである。
【０００３】
そこで、より少ない塗布容器本体への反復する挿脱によって、より広範囲の被塗布面に対して液状化粧料を塗布できるようにするため、該塗布体の塗布部の幅を広くして塗布部の面積を拡大すること、すなわち塗布部における液状化粧料の保持量を増大することが行われている。
【０００４】
ところで、上記塗布体を収容する塗布容器本体の開口部内には、塗布体の塗布部や軸部に過剰に付着した液状化粧料が垂れて周囲を汚損することがないように、該塗布部や軸部の表面に密着するシゴキが内装され、塗布部は変形しながらシゴキを通過するものである。
そのため、幅を拡大した塗布部がシゴキを通過しようとすると、該塗布部の変形が円滑に行われ難くなり、塗布部とシゴキ部との間で大きな抵抗が生じてしまうものとなる。その結果、液状化粧料塗布体の挿脱時における操作感が低下してしまうとともに、シゴキ通過後の塗布部の変形が急激になり、該塗布部に付着した液状化粧料が飛散し、周囲を汚損するおそれがある。従って、操作感の低下及び液状化粧料の飛散を防止しようとすると、塗布部の拡大には限界が生じるものである。
【先行技術文献】
【特許文献】
【０００５】
【特許文献１】特開２００１−１６１４３４号公報
【発明の概要】
【発明が解決しようとする課題】
【０００６】
解決しようとする問題点は、液状化粧料の保持量を増大させるために塗布部の幅を拡大しようとすると円滑な変形ができず、シゴキとの間で発生する大きな抵抗によって操作感の低下及び液状化粧料の飛散による周囲への汚損を防止できず、またこれらを防止しようとすると塗布部の拡大に限界が生じてしまう点である。
【課題を解決するための手段】
【０００７】
第１の特徴として、
軸部と、塗布部とから構成され、
該塗布部は、薄板状とすると共に、その外形形状を略長方形状又は塗布部の全部又は一部を先端方向から軸部方向へ幅狭となる逆テーパ形状とし、
該塗布部の一面には平面の塗布面を形成し、他面には該一面方向へ凹陥する単数又は複数の薄肉部を形成するものである。
【０００８】
そのため、シゴキを通過しようとして塗布部に対して圧力が加わると、薄板状の塗布部は該塗布部の他面に形成される薄肉部によって、該薄肉部を中心に塗布部の一面に形成される塗布面を内側に巻き込むように円滑に変形するものとなる。その結果、塗布部の一面の塗布面に付着した液状化粧料はシゴキにより拭い去られることなく、塗布部はシゴキを迅速に通過することができるとともに、シゴキを通過する際の抵抗が減少して操作感の低下を防止し、塗布部の円滑な復元により液状化粧料が飛散して周囲を汚損することをも防止できるものである。
【０００９】
ここで、塗布部の全部又は一部を先端方向から軸部方向へ幅狭となる逆テーパ形状とすることで、液体化粧料塗布体の抜出時に塗布部がシゴキを通過するに際しての抵抗がより少なくなるとともに、塗布部がより弾性を有する様になるものである。その結果、液体化粧料塗布体の塗布部の変形がより円滑に行われて、シゴキをより迅速に通過するすることができるとともに、塗布部の塗布面を弾性を持って被塗布面に確実に密着して、液状化粧料を万遍なく塗布することができるものである（図７参照）。
【００１０】
そして、塗布部は、該塗布部がシゴキを通過する際の変形を円滑にし、且つ被塗布面に対して確実に密着させることができるように弾性を有することが必要となるため、該塗布部を均一な薄板状とするものの他、図６（イ）〜（ハ）において示すように、例えば塗布部の中央と比較して先端が柔軟になるように塗布部の他面側を湾曲面状にするものであっても良いものである。
【００１１】
第１の特徴を踏まえて、第２の特徴として、
上記塗布部の他面において該一面方向へ凹陥するように形成される単数又は複数の薄肉部を、該他面の全面又は一部に渡って形成される単数又は複数の溝部の内底部とするものである。
【００１２】
そのため、シゴキを通過しようとして塗布部に対して圧力が加わると、薄板状の塗布部は該塗布部の他面の全面又は一部に渡って形成される単数又は複数の溝部の内底部である薄肉部によって、該薄肉部を中心に塗布部の一面に形成される塗布面を内側に巻き込むように円滑に変形するものとなる。その結果、塗布部の一面の塗布面に付着した液状化粧料はシゴキにより拭い去られることなく、塗布部はシゴキを迅速に通過することができるとともに、シゴキを通過する際の抵抗が減少して操作感の低下を防止し、塗布部の円滑な復元により液状化粧料が飛散して周囲を汚損することをも防止できるものである。
【００１３】
特に、上記塗布部の他面に配設されることとなる溝部が、塗布部の他面の全面に渡り、また溝部が複数であればある程、塗布部がシゴキを通過する際に圧力を受けて変形するにあたっては、より正確にシゴキの形状に合わせて円滑に変形するものとなる。その結果、塗布部はシゴキをより迅速に通過することができるとともに、シゴキを通過する際の抵抗がより減少して操作感の低下を防止し、塗布部の円滑な復元により液状化粧料が飛散して周囲を汚損することをも防止できるものである。
【００１４】
ここで、その内底部が薄肉部となる溝部は、塗布部がシゴキを通過する際に圧力を受けた結果、筒状に変形すれば足りるので、塗布部の裏面に軸部の略軸方向に沿って単数又は複数形成されるものである〔図３（イ）（ロ）、図５（イ）（ロ）、及び図６（ハ）（ａ）〜（ｆ）参照〕。
【００１５】
さらに、塗布部の他面に形成される該溝部は、その内底部が薄肉部となって変形可能となればよいので、その断面形状がＶ字形状、内底部が平坦となる略Ｖ字形状の他に、断面半円形状の突条部を連続して形成するもの〔図８（イ）参照〕、断面三角形状の突条部を連続して形成するもの〔同図（ロ）参照〕、及び断面波形状の突条部を連続して形成ものであっても良いもの〔同図（ハ）（ニ）参照）である。
【００１６】
第１の特徴及び第２の特徴を踏まえて、第３の特徴として、
上記塗布部の外周縁の全周又は一部を曲面とするものである。
【００１７】
そのため、塗布部がシゴキを通過する際に発生する抵抗は曲面により減少するものとなる。その結果、塗布部の一面の平面である塗布面に付着した液状化粧料はシゴキにより拭い去られることなく、塗布部はシゴキをより迅速、且つ円滑に通過することができるものとなる。
【００１８】
第１の特徴乃至第３の特徴を踏まえて、第４の特徴として、
上記塗布部の一面の平面の塗布面の全面又は一部に対してフロッキー植毛加工をするものである。
【００１９】
そのため、塗布部の一面に形成される塗布面において、より多くの液状化粧料を保持するものとなる。その結果、被塗布面に対して、より多くの液状化粧料を被塗布面に対して塗布することができるものである。
【発明の効果】
【００２０】
本願発明は、液状化粧料塗布体の塗布部において保持される液状化粧料の保持量を増大させるために拡大した塗布部はシゴキを通過する際に円滑に変形して抵抗を少なくし、シゴキを迅速に通過できるので、液状化粧料塗布体の操作感の低下、及び塗布部に付着した液状化粧料の飛散による周囲への汚損を防止しつつ、一度に広範囲にわたって液状化粧料を塗布できるものとなり、液状化粧料塗布体としての使用性を著しく向上させることができる優れた効果を有するものである。
【図面の簡単な説明】
【００２１】
【図１】図１は、本願発明の実施例である液状化粧料塗布体を具える液状化粧料塗布容器の拡大断面図である。
【図２】図２（イ）は、本願発明の実施例である液状化粧料塗布体を具える液状化粧料塗布容器を構成し、本願発明の実施例である液状化粧料塗布体を保持するキャップの拡大断面図、（ロ）は、本願発明の実施例である液状化粧料塗布体の拡大部分断面図である。
【図３】図３（イ）は、本願発明の実施例である液状化粧料塗布体の正面図、（ロ）は、本願発明の実施例である液状化粧料塗布体の背面図、（ハ）は、本願発明の実施例である液状化粧料塗布体の底面図である。
【図４】図４（イ）は、本願発明の実施例である液状化粧料塗布体の塗布部のシゴキへ挿入前における正面図及び斜視図、（ロ）は、本願発明の実施例である液状化粧料塗布体の塗布部のシゴキへ挿入中における正面図及び斜視図である。
【図５】図５（イ）及び（ロ）は、本願発明の実施例である液状化粧料塗布体の塗布部の他面に形成される溝部の変形例の背面図及び底面図である。
【図６】図６（イ）及び（ロ）は、本願発明の実施例である液状化粧料塗布体の塗布部の他面を湾曲面状とする変形例の正面図及び側面図、そして（ハ）（ａ）〜（ｆ）は該変形例である塗布部の他面に形成される溝部の変形例の背面図である。
【図７】図７は（イ）及び（ロ）は、本願発明の実施例である液状化粧料塗布体の塗布部の外形形状の一部を逆テーパ状とした変形例の正面図及び側面図である。
【図８】図８は、本願発明の実施例である液状化粧料塗布体の塗布部の他面に形成される薄肉部の変形例であり、（イ）は断面半円形状の突条部を連続して形成することで薄肉部を形成してなるもの、（ロ）は断面三角形状の突条部を連続して形成することで薄肉部を形成してなるもの、及び（ハ）、（ニ）は断面波形状の突条部を連続して形成することで薄肉部を形成してなるものである。
【発明を実施するための形態】
【００２２】
液状化粧料の保持量を増大させるための塗布部を拡大を、一面に平面の塗布面を有する塗布部の他面の全面又は一部において単数又は複数の薄肉部を形成することで、シゴキを通過する際に円滑に変形するものとして実現した。
【実施例】
【００２３】
図１において示すのは、本願発明の実施例である液状化粧料塗布体９を具える液状化粧料塗布容器１である。
そして、該液状化粧料塗布容器１は、その内部に液状口紅、リップグロス等の液状化粧料（以下、「液状化粧料」という。）３を貯留し、その開口部４では後述する本願発明の実施例である液状化粧料塗布体９を保持する保持軸８又は塗布部１１に密着することによって該保持軸８又は塗布部１１に過剰に付着した液状化粧料３を拭い去るシゴキ６を内装するとともに、その外周面には雄ネジ部５を螺設してなる塗布容器本体２と、その内周面の雌ネジ部７ａにおいて前記塗布容器本体２の開口部４の外周面に螺設する雄ネジ部５と螺合することで、該開口部４を閉塞自在としてなるものであって、後述する本願発明の実施例である液状化粧料塗布体９の軸部１０を先端の保持孔８ｂ内に保持してなる保持軸８の根元部８ａを嵌合させて一体に固持してなるキャップ７とからなるものである。
【００２４】
そして、本願発明の実施例である液状化粧料塗布体９は、上記保持軸８の保持孔８ｂ内に保持される軸部１０と、該軸部１０と一体となる塗布部１１とから構成されるものである。
さらに、該塗布部１１は、弾性を有するように均一の薄板状とすると共に、その外形形状を略長方形状とするものでる。その上、該塗布部１１の一面１１ａには平面の塗布面１２を形成し、他面１１ｂには該一面１１ａ方向へ凹陥する二本の断面Ｖ字形状の溝部１３、１３が形成されるものである。そのため、該溝部１３、１３の内底部１３ａ、１３ａは、塗布部１１に圧力が加わった場合に変形自在となる薄肉部となるものである（図２、図３参照）。
【００２５】
本願発明の実施例である液状化粧料塗布体９は以上の構成を具えるので、例えば、液状化粧料３の塗布、又は液状化粧料塗布体９を収容するために、本願発明の実施例である液状化粧料塗布体９の塗布部１１がシゴキ６を通過するにあたっては、次のようになるものである。
すなわち、例えば、液状化粧料３を塗布する場合においては、キャップ７と塗布容器本体２との螺合を解くとともにキャップ７を引張するものである。
そして、キャップ７を引張することによって、該キャップ７に固持される保持軸８に保持される液状化粧料塗布体９の塗布部１１は塗布容器本体２の開口部４内に内装されるシゴキ６の内径よりも大であるので、塗布部１１とシゴキ６とは当接するものとなる。
さらに、キャップ７を持って引張して、該塗布部１１がシゴキ６を通過しようとすると、該塗布部１１に対して抵抗が発生して圧力が加わるものとなる。
その結果、塗布部１１は該塗布部１１の他面において軸部１０の軸線に沿って形成される二本の溝部１３、１３を中心として一面１１ａに形成される塗布面１２を内側に巻き込むようにして筒状に変形して抵抗が少なくなるので、塗布部１１は、該塗布部１１の一面１１ａである塗布面１２に付着した液状化粧料３を拭い去ることなく、塗布部１１の他面１１ｂ又は保持軸８に過剰に付着した液状化粧料３を拭い去りつつシゴキ６を通過するものとなる。
その上で、筒状に変形してシゴキ６を通過した後の塗布部１１ではシゴキ６による圧力が解消されるので、圧力を受けて筒状に変形していた塗布部１１は再び元の形状、すなわち内側に巻き込まれていた塗布部１１の一面１１ａである塗布面１２を平面状とするように均一の薄板状に復元するものである。
以上により、使用者は大きく拡大し、その表面に多量の液状化粧料３が付着した塗布部１１の塗布面１２により、液状化粧料３を被塗布面に万遍なく塗布することができるものとなる。
【００２６】
また、液状化粧料３を塗布した後は、キャップ７に固持される保持軸８に保持される液状化粧料塗布体９の塗布部１１を塗布容器本体２の開口部４に当接しつつ押勢することによって、該塗布部１１に対して圧力が加わえるものとなる。その結果、塗布部１１は該塗布部１１の他面１１ｂにおいて軸部１０の軸線に沿って形成される二本の溝部１３、１３を中心として一面１１ａに形成される塗布面１２を内側に巻き込むようにして筒状に変形して抵抗が少なくなるので、塗布部１１はシゴキ６を円滑に通過して、塗布容器本体２内に収容することができるものである。
【産業上の利用可能性】
【００２７】
本願発明の液状化粧料塗布体は、一度により広範囲にわたって液状化粧料を被塗布面に対して塗布することができるので、染毛剤等の塗布体にも適用することができる。
【符号の説明】
【００２８】
１    液状化粧料塗布容器
２    塗布容器本体
３    液状化粧料
４    開口部
５    雄ネジ部
６    シゴキ
７    キャップ
７ａ    雌ネジ部
８    保持軸
８ａ    根元部
８ｂ    保持孔
９    液状化粧料塗布体
１０    軸部
１１    塗布部
１１ａ    一面
１１ｂ    他面
１２    塗布面
１３    溝部
１３ａ    内底部
【図１】
2014033720.tif 000003
【図２】
2014033720.tif 000004
【図３】
2014033720.tif 000005
【図４】
2014033720.tif 000006
【図５】
2014033720.tif 000007
【図６】
2014033720.tif 000008
【図７】
2014033720.tif 000009
【図８】
2014033720.tif 000010